【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
複数の液体収納容器が搭載可能であって、該液体収納容器に備えられる容器側接点と電気的に接続する装置側接点と、前記液体収納容器からの光を受光する受光手段と、搭載される液体収納容器それぞれの前記接点と接続する前記装置側接点に対して共通に電気的接続する配線を有した電気回路と、を有する記録装置に対して着脱可能な液体収納容器において、
前記液体収納容器に備えられる前記容器側接点と、
少なくとも液体収納容器の個体情報を保持する情報保持部と、
前記受光手段への発光部と、
該発光部を駆動する駆動部と、
前記記録装置からの個体情報およびコマンドの受信に応じて、前記情報保持部へのアクセスおよび／または前記駆動部による前記発光部の駆動の制御を行う制御部と、
を具えたことを特徴とする液体収納容器。
【請求項２】
複数の液体収納容器が互いに異なる位置に搭載可能であって、該液体収納容器に備えられる容器側接点と電気的に接続する装置側接点と、前記液体収納容器からの光を受光する受光手段と、前記複数の液体収納容器の搭載位置を検出する位置検出手段と、搭載される液体収納容器それぞれの前記容器側接点と接続する前記装置側接点に対して共通に電気的接続し個体情報に係る信号を発生するための配線を有した電気回路と、を有する記録装置に対して着脱可能な液体収納容器において、
前記液体収納容器に備えられる前記容器側接点と、
少なくとも液体収納容器の個体情報を保持する情報保持部と、
前記受光手段に投光するための発光部と、
該発光部を駆動する駆動部と、
前記記録装置からの個体情報およびコマンドの受信に応じて、前記情報保持部へのアクセスおよび／または前記駆動部による前記発光部の駆動の制御を行う制御部と、
を具えたことを特徴とする液体収納容器。
【請求項３】
前記制御部は、前記記録装置から受信した個体情報が前記情報記憶保持部の保持する個体情報と一致した場合に、前記情報保持部へのアクセスおよび／または前記駆動部による前記発光部の駆動の制御を行うことを特徴とする請求項１または請求項２に記載の液体収納容器。
【請求項４】
前記制御部は、前記記録装置から入力される、前記情報保持部にアクセスするためのコマンドを受信することで、前記情報保持部の情報を取得および／または更新することを特徴とする請求項１ないし請求項３のいずれかに記載の液体収納容器。
【請求項５】
前記制御部は、前記記録装置から入力される、前記発光部を駆動するためのコマンドを受信することで、前記駆動部が前記発光部を駆動するよう制御を行うことを特徴とする請求項１ないし請求項３のいずれかに記載の液体収納容器。
【請求項６】
前記情報保持部、前記発光部および前記制御部が同一基板上に配されていることを特徴とする請求項１ないし請求項５のいずれかに記載の液体収納容器。
【請求項７】
前記液体収納容器にはインクが収納されていることを特徴とする請求項１ないし請求項６のいずれかに記載の液体収納容器。
【請求項８】
複数の液体収納容器が互いに異なる位置に搭載可能であって、該液体収納容器に備えられる容器側接点と電気的に接続する装置側接点と、前記液体収納容器からの光を受光する受光手段と、前記複数の液体収納容器の搭載位置を検出する位置検出手段と、搭載される液体収納容器それぞれの前記容器側接点と接続する前記装置側接点に対して共通に電気的接続し個体情報に係る信号を発生するための配線を有した電気回路と、を有する記録装置と、前記記録装置のキャリッジの異なる位置に対して着脱可能な前記複数の液体収納容器と、を備える液体供給システムにおいて、
前記液体収納容器は、
前記液体収納容器に備えられる前記容器側接点と、
少なくとも液体収納容器の個体情報を保持する情報保持部と、
前記受光手段に投光するための発光部と、
該発光部を駆動する駆動部と、
前記記録装置からの個体情報およびコマンドの受信に応じて、前記情報保持部へのアクセスおよび／または前記駆動部による前記発光部の駆動の制御を行う制御部と、
を有することを特徴とする液体供給システム。
【請求項９】
複数の液体収納容器が互いに異なる位置に搭載可能であって、該液体収納容器に備えられる容器側接点と電気的に接続する装置側接点と、前記液体収納容器からの光を受光する受光手段と、前記複数の液体収納容器の搭載位置を検出する位置検出手段と、搭載される液体収納容器それぞれの前記容器側接点と接続する前記装置側接点に対して共通に電気的接続し個体情報に係る信号を発生するための配線を有した電気回路と、を有する記録装置に対して着脱可能な液体収納容器の製造方法において、
前記液体収納容器に備えられる前記容器側接点と、少なくとも液体収納容器の個体情報を保持する情報保持部と、前記受光手段に投光するための発光部と、該発光部を駆動する駆動部と、前記記録装置からの個体情報およびコマンドの受信に応じて、前記情報保持部へのアクセスおよび／または前記駆動部による前記発光部の駆動の制御を行う制御部と、を有する基板を備えた液体収納容器を用意する工程と、
前記液体収納容器にインクを注入する工程と、
を具えた液体収納容器の製造方法。
【請求項１０】
複数の液体収納容器が互いに異なる位置に搭載可能であって、該液体収納容器と電気的に接続する装置側接点と、前記液体収納容器からの光を受光する受光手段と、前記複数の液体収納容器の搭載位置を検出する位置検出手段と、前記装置側接点に対して共通に電気的接続し個体情報に係る信号を発生するための配線を有した電気回路と、を有する記録装置に対して着脱可能な液体収納容器に備えられる回路基板において、
前記装置側接点と電気的に接続する接点と、
少なくとも液体収納容器の個体情報を保持する情報保持部と、
前記液体収納容器の発光部を駆動する駆動部と、
前記記録装置からの個体情報およびコマンドの受信に応じて、前記情報保持部へのアクセスおよび／または前記駆動部による前記発光部の駆動の制御を行う制御部と、
を有することを特徴とする回路基板。
【請求項１１】
前記発光部は回路基板上に配されることを特徴とする請求項１０に記載の回路基板。
【請求項１２】
請求項１または請求項２に記載の液体収納容器を搭載可能な記録装置であって、該液体収納容器の発光部からの光を受光する受光部を有することを特徴とする記録装置。
【請求項１３】
前記液体収納容器が搭載可能なキャリッジを有し、該キャリッジは前記受光部と前記発光部とが対向するように移動可能である請求項１２に記載の記録装置。
【請求項１４】
複数の液体収納容器が互いに異なる位置に搭載可能であって、該液体収納容器に備えられる容器側接点と電気的に接続する装置側接点と、前記液体収納容器からの光を受光する受光手段と、前記複数の液体収納容器の取付位置を検出する位置検出手段と、搭載される液体収納容器それぞれの前記接点と接続する前記装置側接点に対して共通に電気的接続し個体情報に係る信号を発生するための配線を有した電気回路と、を有する記録装置に対して着脱可能な液体収納カートリッジにおいて、
液体を吐出することで記録を行う記録ヘッドと、
前記液体収納容器に備えられる前記容器側接点と、
少なくとも液体収納容器の個体情報を保持する情報保持部と、
前記受光手段に投光するための発光部と、
該発光部を駆動する駆動部と、
前記記録装置からの個体情報およびコマンドの受信に応じて、前記情報保持部へのアクセスおよび／または前記駆動部による前記発光部の駆動の制御を行う制御部と、
を有することを特徴とする液体収納カートリッジ。
【請求項１５】
複数の液体収納容器が互いに異なる位置に搭載可能であって、該液体収納容器に備えられる容器側接点と電気的に接続する装置側接点と、前記液体収納容器からの光を受光する受光手段と、前記複数の液体収納容器の搭載位置を検出する位置検出手段と、搭載される液体収納容器それぞれの前記容器側接点と接続する前記装置側接点に対して共通に電気的接続し個体情報に係る信号を発生するための配線を有した電気回路と、を有する記録装置に対して
着脱可能な液体収納容器において、
収納容器内に収納されるインクと、
前記液体収納容器に備えられる前記容器側接点と、
収納されるインクに関する情報を保持する情報保持部と、
前記受光手段に投光するための発光部と、
該発光部を駆動する駆動部と、
前記記録装置からのインクに関する情報およびコマンドの受信に応じて、前記情報保持
部へのアクセスおよび／または前記駆動部による前記発光部の駆動の制御を行う制御部と
、を具えたことを特徴とする液体収納容器。
【請求項１６】
複数の液体収納容器が互いに異なる位置に搭載可能であって、該複数の液体収納容器のそれぞれに対応した装置側電気接点と、前記液体収納容器からの光を受光する受光手段と、前記装置側電気接点に対して共通に電気的接続する配線を有した電気回路と、を備える記録装置に対して着脱可能な液体収納容器において、
前記液体収納容器は、回路基板を有するとともに内部にインクを収納するインク収納容器本体を備え、
前記回路基板は、
前記装置側電気接点と接続する接点と、
前記収納容器に収納されるインクに関する個体情報を少なくとも保持する情報保持部と、
前記受光手段への発光部と、
該発光部を駆動する駆動部と、
前記記録装置からの前記個体情報およびコマンドの受信に応じて、前記情報保持部へのアクセスおよび／または前記駆動部による前記発光部の駆動の制御を行う制御部と、
を有することを特徴とする液体収納容器。
【請求項１７】
複数の液体収納容器が互いに異なる位置に搭載可能であって、該複数の液体収納容器のそれぞれに対応した装置側電気接点と、前記液体収納容器からの光を受光する受光手段と、前記装置側電気接点に対して共通に電気的接続する配線を有した電気回路と、を備える記録装置に対して着脱可能な液体収納容器において、
前記液体収納容器は、回路基板の配設部が設けられた収納容器本体を備え、
前記回路基板は、
前記装置側電気接点と接続する接点と、
前記収納容器に収納されるインクに関する個体情報を少なくとも保持する情報保持部と、
前記受光手段への発光部と、
該発光部を駆動する駆動部と、
前記記録装置からの前記個体情報およびコマンドの受信に応じて、前記情報保持部へのアクセスおよび／または前記駆動部による前記発光部の駆動の制御を行う制御部と、
を有することを特徴とする液体収納容器。
【請求項１８】
前記配設部は、前記収納容器を構成する二つの面が交わる部位にあり、かつ前記二つの面をつなぐ斜面を構成し、前記回路基板の前記発光部を前記液体収納容器の内側に向かって位置するように配設する構成であることを特徴とする請求項１７に記載の液体収納容器。
【請求項１９】
前記収納容器の前記配設部に、前記収納容器と前記回路基板が対向する空間が形成されていることを特徴とする請求項１８に記載の液体収納容器。
【手続補正２】
【補正対象書類名】明細書
【補正対象項目名】００２５
【補正方法】変更
【補正の内容】
【００２５】
そのために本発明では、複数の液体収納容器が搭載可能であって、該液体収納容器に備えられる容器側接点と電気的に接続する装置側接点と、前記液体収納容器からの光を受光する受光手段と、搭載される液体収納容器それぞれの前記接点と接続する前記装置側接点に対して共通に電気的接続する配線を有した電気回路と、を有する記録装置に対して着脱可能な液体収納容器において、
前記液体収納容器に備えられる前記容器側接点と、
少なくとも液体収納容器の個体情報を保持する情報保持部と、
前記受光手段への発光部と、
該発光部を駆動する駆動部と、
前記記録装置からの個体情報およびコマンドの受信に応じて、前記情報保持部へのアクセスおよび／または前記駆動部による前記発光部の駆動の制御を行う制御部と、
を具えたことを特徴とする。
【手続補正３】
【補正対象書類名】明細書
【補正対象項目名】００２６
【補正方法】変更
【補正の内容】
【００２６】
また、本発明は、複数の液体収納容器が互いに異なる位置に搭載可能であって、該液体収納容器に備えられる容器側接点と電気的に接続する装置側接点と、前記液体収納容器からの光を受光する受光手段と、前記複数の液体収納容器の搭載位置を検出する位置検出手段と、搭載される液体収納容器それぞれの前記容器側接点と接続する前記装置側接点に対して共通に電気的接続し個体情報に係る信号を発生するための配線を有した電気回路と、を有する記録装置に対して着脱可能な液体収納容器において、
前記液体収納容器に備えられる前記容器側接点と、
少なくとも液体収納容器の個体情報を保持する情報保持部と、
前記受光手段に投光するための発光部と、
該発光部を駆動する駆動部と、
前記記録装置からの個体情報およびコマンドの受信に応じて、前記情報保持部へのアクセスおよび／または前記駆動部による前記発光部の駆動の制御を行う制御部と、
を具えたことを特徴とする。
【手続補正４】
【補正対象書類名】明細書
【補正対象項目名】００２７
【補正方法】変更
【補正の内容】
【００２７】
さらに、本発明は、複数の液体収納容器が互いに異なる位置に搭載可能であって、該液体収納容器に備えられる容器側接点と電気的に接続する装置側接点と、前記液体収納容器からの光を受光する受光手段と、前記複数の液体収納容器の搭載位置を検出する位置検出手段と、搭載される液体収納容器それぞれの前記容器側接点と接続する前記装置側接点に対して共通に電気的接続し個体情報に係る信号を発生するための配線を有した電気回路と、を有する記録装置と、前記記録装置のキャリッジの異なる位置に対して着脱可能な前記複数の液体収納容器と、を備える液体供給システムにおいて、
前記液体収納容器は、
前記液体収納容器に備えられる前記容器側接点と、
少なくとも液体収納容器の個体情報を保持する情報保持部と、
前記受光手段に投光するための発光部と、
該発光部を駆動する駆動部と、
前記記録装置からの個体情報およびコマンドの受信に応じて、前記情報保持部へのアクセスおよび／または前記駆動部による前記発光部の駆動の制御を行う制御部と、
を有することを特徴とする。
【手続補正５】
【補正対象書類名】明細書
【補正対象項目名】００２８
【補正方法】変更
【補正の内容】
【００２８】
加えて、本発明は、複数の液体収納容器が互いに異なる位置に搭載可能であって、該液体収納容器に備えられる容器側接点と電気的に接続する装置側接点と、前記液体収納容器からの光を受光する受光手段と、前記複数の液体収納容器の搭載位置を検出する位置検出手段と、搭載される液体収納容器それぞれの前記容器側接点と接続する前記装置側接点に対して共通に電気的接続し個体情報に係る信号を発生するための配線を有した電気回路と、を有する記録装置に対して着脱可能な液体収納容器の製造方法において、
前記液体収納容器に備えられる前記容器側接点と、少なくとも液体収納容器の個体情報を保持する情報保持部と、前記受光手段に投光するための発光部と、該発光部を駆動する駆動部と、前記記録装置からの個体情報およびコマンドの受信に応じて、前記情報保持部へのアクセスおよび／または前記駆動部による前記発光部の駆動の制御を行う制御部と、を有する基板を備えた液体収納容器を用意する工程と、
前記液体収納容器にインクを注入する工程と、
を具える。
【手続補正６】
【補正対象書類名】明細書
【補正対象項目名】００２９
【補正方法】変更
【補正の内容】
【００２９】
また、本発明は、複数の液体収納容器が互いに異なる位置に搭載可能であって、該液体収納容器と電気的に接続する装置側接点と、前記液体収納容器からの光を受光する受光手段と、前記複数の液体収納容器の搭載位置を検出する位置検出手段と、前記装置側接点に対して共通に電気的接続し個体情報に係る信号を発生するための配線を有した電気回路と、を有する記録装置に対して着脱可能な液体収納容器に備えられる回路基板において、
前記装置側接点と電気的に接続する接点と、
少なくとも液体収納容器の個体情報を保持する情報保持部と、
前記液体収納容器の発光部を駆動する駆動部と、
前記記録装置からの個体情報およびコマンドの受信に応じて、前記情報保持部へのアクセスおよび／または前記駆動部による前記発光部の駆動の制御を行う制御部と、
を有することを特徴とする。
【手続補正７】
【補正対象書類名】明細書
【補正対象項目名】００３１
【補正方法】変更
【補正の内容】
【００３１】
さらに加えて、本発明は、複数の液体収納容器が互いに異なる位置に搭載可能であって、該液体収納容器に備えられる容器側接点と電気的に接続する装置側接点と、前記液体収納容器からの光を受光する受光手段と、前記複数の液体収納容器の取付位置を検出する位置検出手段と、搭載される液体収納容器それぞれの前記接点と接続する前記装置側接点に対して共通に電気的接続し個体情報に係る信号を発生するための配線を有した電気回路と、を有する記録装置に対して着脱可能な液体収納カートリッジにおいて、
液体を吐出することで記録を行う記録ヘッドと、
前記液体収納容器に備えられる前記容器側接点と、
少なくとも液体収納容器の個体情報を保持する情報保持部と、
前記受光手段に投光するための発光部と、
該発光部を駆動する駆動部と、
前記記録装置からの個体情報およびコマンドの受信に応じて、前記情報保持部へのアクセスおよび／または前記駆動部による前記発光部の駆動の制御を行う制御部と、
を有することを特徴とする。
【手続補正８】
【補正対象書類名】明細書
【補正対象項目名】００３２
【補正方法】変更
【補正の内容】
【００３２】
また、本発明は、複数の液体収納容器が互いに異なる位置に搭載可能であって、該液体収納容器に備えられる容器側接点と電気的に接続する装置側接点と、前記液体収納容器からの光を受光する受光手段と、前記複数の液体収納容器の搭載位置を検出する位置検出手段と、搭載される液体収納容器それぞれの前記容器側接点と接続する前記装置側接点に対して共通に電気的接続し個体情報に係る信号を発生するための配線を有した電気回路と、を有する記録装置に対して
着脱可能な液体収納容器において、
収納容器内に収納されるインクと、
前記液体収納容器に備えられる前記容器側接点と、
収納されるインクに関する情報を保持する情報保持部と、
前記受光手段に投光するための発光部と、
該発光部を駆動する駆動部と、
前記記録装置からのインクに関する情報およびコマンドの受信に応じて、前記情報保持
部へのアクセスおよび／または前記駆動部による前記発光部の駆動の制御を行う制御部と
、を具えたことを特徴とする。
さらに、本発明は、複数の液体収納容器が互いに異なる位置に搭載可能であって、該複数の液体収納容器のそれぞれに対応した装置側電気接点と、前記液体収納容器からの光を受光する受光手段と、前記装置側電気接点に対して共通に電気的接続する配線を有した電気回路と、を備える記録装置に対して着脱可能な液体収納容器において、
前記液体収納容器は、回路基板を有するとともに内部にインクを収納するインク収納容器本体を備え、
前記回路基板は、
前記装置側電気接点と接続する接点と、
前記収納容器に収納されるインクに関する個体情報を少なくとも保持する情報保持部と、
前記受光手段への発光部と、
該発光部を駆動する駆動部と、
前記記録装置からの前記個体情報およびコマンドの受信に応じて、前記情報保持部へのアクセスおよび／または前記駆動部による前記発光部の駆動の制御を行う制御部と、
を有することを特徴とする。
さらに加えて、本発明は、複数の液体収納容器が互いに異なる位置に搭載可能であって、該複数の液体収納容器のそれぞれに対応した装置側電気接点と、前記液体収納容器からの光を受光する受光手段と、前記装置側電気接点に対して共通に電気的接続する配線を有した電気回路と、を備える記録装置に対して着脱可能な液体収納容器において、
前記液体収納容器は、回路基板の配設部が設けられた収納容器本体を備え、
前記回路基板は、
前記装置側電気接点と接続する接点と、
前記収納容器に収納されるインクに関する個体情報を少なくとも保持する情報保持部と、
前記受光手段への発光部と、
該発光部を駆動する駆動部と、
前記記録装置からの前記個体情報およびコマンドの受信に応じて、前記情報保持部へのアクセスおよび／または前記駆動部による前記発光部の駆動の制御を行う制御部と、
を有することを特徴とする。